(57)【要約】【課題】二重像の発生を低減して虚像の視認性を向上させる。【解決手段】虚像表示装置１０は、照明光を変調して画像表示光Ｌを生成する表示部１４と、画像表示光Ｌを厚さが均一な虚像提示板２２に向けて反射させる凹面鏡１８を少なくとも含む投射光学系１６と、を備え、表示部１４は、虚像提示板２２および投射光学系２０により構成される合成光学系２０のサジタル面内焦点２６ｓより合成光学系２０のメリディオナル面内焦点２６ｍの近くに配置される。【選択図】図４
2020016897.tif 000002
【特許請求の範囲】
【請求項１】
照明光を変調して画像表示光を生成する表示部と、
前記画像表示光を厚さが均一なウインドシールドに向けて反射させる凹面鏡を少なくとも含む投射光学系と、を備え、
前記表示部は、前記ウインドシールドおよび前記投射光学系により構成される合成光学系のサジタル面内焦点より、前記合成光学系のメリディオナル面内焦点の近くに配置されることを特徴とする虚像表示装置。
【請求項２】
前記投射光学系は、前記表示部と前記凹面鏡の間に配置される凸レンズをさらに備えることを特徴とする請求項１に記載の虚像表示装置。
【請求項３】
前記ウインドシールドおよび前記虚像表示装置は、車両に設けられることを特徴とする請求項１または２に記載の虚像表示装置。
【発明の詳細な説明】
【技術分野】
【０００１】
本発明は、虚像表示装置に関する。
【背景技術】
【０００２】
近年、車両用表示装置としてヘッドアップディスプレイが用いられることがある。ヘッドアップディスプレイは、画像表示光を車両のウィンドシールドなどに投射し、画像表示光に基づく虚像を車外の風景に重畳して表示する。ウィンドシールドには車内側と車外側の二つの界面があるため、それぞれの界面にて反射して視認される画像表示光がずれて重畳され、二重像に見えてしまうことがある。このような二重像の発生を抑制するため、二重像のずれ量が人間の目の分解能以内となるように視距離を設定し、その視距離を実現する光学配置を得るための数式が提案されている（例えば、特許文献１参照）。
【先行技術文献】
【特許文献】
【０００３】
【特許文献１】特開昭６２−２２５４２９号公報
【発明の概要】
【発明が解決しようとする課題】
【０００４】
上述の技術では、二重像を低減するためにユーザの前方に見える虚像の提示位置までの視距離を大きくすることが前提とされる。虚像の視距離によらずに二重像の発生を好適に低減できることが好ましい。
【０００５】
本発明は、上述の事情に鑑みてなされたものであり、提示する虚像の視認性を向上させる技術を提供することを目的とする。
【課題を解決するための手段】
【０００６】
本発明のある態様の虚像表示装置は、照明光を変調して画像表示光を生成する表示部と、画像表示光を厚さが均一なウインドシールドに向けて反射させる凹面鏡を少なくとも含む投射光学系と、を備え、表示部は、ウインドシールドおよび投射光学系により構成される合成光学系のサジタル面内焦点より、合成光学系のメリディオナル面内焦点の近くに配置される。
【０００７】
なお、以上の構成要素の任意の組合せや本発明の構成要素や表現を、方法、装置、システムなどの間で相互に置換したものもまた、本発明の態様として有効である。
【発明の効果】
【０００８】
本発明によれば、二重像の発生を低減して虚像の視認性を向上させることができる。
【図面の簡単な説明】
【０００９】
【図１】実施の形態に係る虚像表示装置の構成を模式的に示す図である。
【図２】比較例に係る虚像表示装置の光学配置を示す図である。
【図３】比較例に係る虚像表示装置を光学配置を示す図である。
【図４】実施の形態に係る虚像表示装置の光学配置を詳細に示す図である。
【発明を実施するための形態】
【００１０】
以下、本発明の実施の形態について、図面を参照しつつ説明する。かかる実施の形態に示す具体的な数値等は、発明の理解を容易とするための例示にすぎず、特に断る場合を除き、本発明を限定するものではない。なお、本明細書及び図面において、実質的に同一の機能、構成を有する要素については、同一の符号を付することにより重複説明を省略し、また本発明に直接関係のない要素は図示を省略する。
【００１１】
図１は、実施の形態に係る虚像表示装置１０の設置態様を模式的に示す図である。本実施の形態では、移動体の一例である車両６０のダッシュボード内に虚像表示装置１０が設置される。虚像表示装置１０は、いわゆるヘッドアップディスプレイ装置である。虚像表示装置１０は、虚像提示板であるウインドシールド６２に画像表示光を投射し、車両６０の進行方向（図１の右方向）の前方に虚像５０を提示する。運転者などのユーザＥは、ウインドシールド６２を介して現実の風景に重畳される虚像５０を視認できる。そのため、ユーザＥは、車両の走行中に視線をほとんど動かすことなく虚像５０に示される情報を得ることができる。図１において、車両６０の進行方向（前後方向）をｚ方向、車両６０の天地方向（上下方向）をｙ方向、車両６０の左右方向をｘ方向としている。
【００１２】
虚像表示装置１０は、照明部１２と、表示部１４と、投射光学系１６と、制御部４０とを備える。照明部１２は、表示光を生成するための光源であり、表示部１４を照明するための照明光を生成する。照明部１２は、ＬＥＤ（Light Emitting Diode）やＬＤ（Laser Diode）などの発光素子と、発光素子からの出力光の強度分布や角度分布を調整するための光学素子とを有する。照明部１２は、表示部１４にほぼ一様な明るさの白色光が照明されるようにする。照明部１２の構成は特に限られないが、発光素子からの出力光を整えるために、例えば、ライトトンネル、フレネルレンズ、光拡散板などの光学素子を用いることができる。
【００１３】
表示部１４は、照明部１２からの照明光を変調して表示光を生成し、虚像５０の表示内容に対応する中間像を形成する。表示部１４は、表示光を生成するための透過型の画像表示素子を含み、透過型の液晶パネルといった表示デバイスを含む。画像表示素子は、制御部４０から送信される画像信号を受け、画像信号に対応する表示内容の画像表示光を生成する。表示部１４は、画像表示光の向きや配光角を整えるための光学素子をさらに含んでもよく、例えば、マイクロレンズアレイシートや光拡散シートといった透過型スクリーンを含んでもよい。
【００１４】
投射光学系１６は、表示部１４が生成する画像表示光をウインドシールド６２に向けて投射する。投射光学系１６は、凸レンズ１７と、凹面鏡１８とを含む。凹面鏡１８は、表示部１４からの画像表示光をウインドシールド６２に向けて反射させ、表示部１４に表示される中間像を拡大してユーザＥに提示する。凸レンズ１７は、表示部１４と凹面鏡１８の間に配置され、表示部１４から凹面鏡１８に向かう画像表示光の向きを変化させる。
【００１５】
投射光学系１６は、図示しない追加の光学素子をさらに含んでもよく、例えば、照明部１２から凹面鏡１８までの光路を折り返すための平面鏡などがさらに設けられてもよい。追加の平面鏡は、照明部１２と表示部１４の間に配置されてもよいし、表示部１４と凸レンズ１７の間に配置されてもよいし、凸レンズ１７と凹面鏡１８の間に配置されてもよい。投射光学系１６に二枚以上の平面鏡がさらに設けられてもよい。また、凸レンズ１７が複数枚のレンズからなるレンズ群により構成されてもよい。
【００１６】
制御部４０は、表示用画像を生成し、表示用画像に対応する虚像５０が提示されるように照明部１２および表示部１４を動作させる。制御部４０は、外部装置６４と接続されており、外部装置６４からの情報に基づいて表示用画像を生成する。
【００１７】
外部装置６４は、虚像５０として表示される画像の元データを生成する装置である。外部装置６４は、例えば、車両６０の電子制御ユニット（ＥＣＵ；Electronic Control Unit）や、ナビゲーション装置、携帯電話やスマートフォン、タブレットといったモバイル装置などである。外部装置６４は、虚像５０の表示に必要な画像データ、画像データの内容や種別を示す情報、車両６０の速度や現在位置といった車両６０に関する情報を制御部４０に送信する。
【００１８】
本実施の形態では、表示部１４を所定の位置に配置することにより、ウインドシールド６２の車内側と車外側の二つの界面で反射して視認される画像表示光がずれて表示され、二重像に見えてしまうのを抑制する。実施の形態に係る表示部１４の配置を詳述する前に、比較例を参照しながらこのような二重像の発生について説明する。
【００１９】
図２は、比較例に係る虚像表示装置１１０の光学配置を示す図であり、二重像が発生している状態を模式的に示している。虚像表示装置１１０は、上述の実施の形態と同様に構成される表示部１１４および凹面鏡１１８を備える。凹面鏡１１８は、表示部１１４からの画像表示光Ｌをウインドシールド６２である虚像提示板２２に投射する。虚像提示板２２は、所定の厚みｔを有し、第１主面２３と、第２主面２４とを有する。第１主面２３は、ウインドシールド６２の車内側の界面に対応し、第２主面２４は、ウインドシールド６２の車外側の界面に対応する。
【００２０】
表示部１１４の任意の一点からユーザＥに達する画像表示光Ｌは、主に二つの光路Ｌ１，Ｌ２を通る。第１光路Ｌ１は、第１主面２３で反射されてユーザＥに向かう光路であり、第２光路Ｌ２は、第１主面２３で屈折し、第２主面２４で反射された後、第１主面２３で再度屈折してユーザＥに向かう光路である。このとき、ユーザＥに向かう第１光路Ｌ１と第２光路Ｌ２の間に角度差Δφが存在すると、その角度差Δφに応じて二つの光路Ｌ１，Ｌ２のそれぞれを通る画像表示光がずれて視認され、虚像１５０に二重像が生じる。なお、第１主面２３と第２主面２４の間を多重反射してユーザＥに向かう光路も想定しうるが、多重反射してユーザＥに向かう画像表示光の成分は小さく、通常の使用態様において無視できる。
【００２１】
図３は、比較例に係る虚像表示装置１１０の光学配置を示す図であり、図２とは異なる虚像提示板２２２を用いて二重像を抑制する様子を模式的に示している。図３に示す虚像提示板２２２は、いわゆる「楔ガラス」と言われるものであり、虚像提示板２２２の厚みが変化するよう構成されている。その結果、虚像提示板２２２の第１主面２２３と第２主面２２４は、虚像表示装置１１０に対して互いに異なる傾斜角を有し、角度差Δθが設けられる。二つの主面２２３，２２４の間に角度差Δθが設けられた楔ガラスを用いることにより、図２に示すような第１光路Ｌ１と第２光路Ｌ２の角度差Δφが補正され、二重像を低減させた虚像２５０を提示できる。
【００２２】
しかしながら、このような「楔ガラス」は角度差Δθを精密に制御して形成する必要があるため、厚さｔが均一な通常のガラスと比べて高価である。また、車両６０のウインドシールド６２を楔ガラスにする場合には、車両６０の形状に応じた専用の楔ガラスが必要となるだけでなく、ウインドシールド６２の全体を交換しなければならないため、非常にコストがかかる。したがって、このような特殊な楔ガラスを用いずに二重像の発生を低減できることが好ましい。
【００２３】
図４は、実施の形態に係る虚像表示装置１０の光学配置を詳細に示す図であり、上述の図１の構成に対応する。図４では、虚像提示板２２として楔ガラスではなく、厚さｔが均一な通常ガラスを用いている。本実施の形態では、表示部１４と凹面鏡１８の間に凸レンズ１７を挿入することにより、二重像の発生が抑制される。特に、投射光学系１６および虚像提示板２２により構成される合成光学系２０のメリディオナル（meridional）面内焦点２６ｍに表示部１４を配置することで二重像の発生を抑制できる。
【００２４】
ここで「メリディオナル面」とは、合成光学系２０の光軸と画像表示光Ｌの主光線を含む平面のことをいい、図４に示す例では、ｙｚ平面がメリディオナル面に相当する。第１光路Ｌ１と第２光路Ｌ２の角度差は、メリディオナル面内で生じるため、合成光学系２０のメリディオナル面内焦点２６ｍに表示部１４を配置することで、ユーザＥに向かう二つの光路Ｌ１，Ｌ２の向きを一致させ、二重像の発生を抑制することができる。
【００２５】
合成光学系２０では、画像表示光Ｌが凹面鏡１８および虚像提示板２２に斜入射するため、非点収差が生じている。つまり、合成光学系２０のメリディオナル面内焦点２６ｍは、サジタル（sagittal）面内焦点２６ｓと位置が異なり、メリディオナル面内焦点２６ｍの方がサジタル面内焦点２６ｓよりも凸レンズ１７の近くに位置する。ここで「サジタル面」とは、合成光学系２０の光軸を含む平面であって、メリディオナル面に直交する平面である。合成光学系２０の合成焦点２６は、メリディオナル面内焦点２６ｍとサジタル面内焦点２６ｓの間に位置する。
【００２６】
合成光学系２０の焦点は、合成光学系２０を構成する凸レンズ１７、凹面鏡１８および虚像提示板２２の特性および配置により決定される。具体的には、凸レンズ１７の焦点距離、凹面鏡１８の焦点距離、虚像提示板２２の焦点距離、凸レンズ１７、凹面鏡１８および虚像提示板２２の相対距離や向きにより決まる。このとき、虚像提示板２２は、所定の曲率を有し、第１主面２３が凹面、第２主面２４が凸面となる形状を有してもよいし、第１主面２３および第２主面２４が平面となる形状を有してもよい。なお、図４に示される合成光学系２０の各焦点２６，２６ｍ，２６ｓの位置は模式的に示すものであり、合成光学系２０の光学配置に基づく正確な焦点位置を示すものではない。
【００２７】
本実施の形態によれば、表示部１４を合成光学系２０のメリディオナル面内焦点２６ｍに配置することにより、虚像提示板２２の第１主面２３と第２主面２４のそれぞれで反射してユーザＥに向かう画像表示光の光路Ｌ１，Ｌ２の向きを一致させることができる。これにより、楔ガラスのような高価な部材を用いることなく、第１光路Ｌ１と第２光路Ｌ２の角度差Δφを解消し、二重像の発生を抑制できる。したがって、本実施の形態によれば、簡易な構成で視認性の高い虚像５０を提示することができる。
【００２８】
本実施の形態によれば、表示部１４が合成光学系２０の合成焦点２６からずれているため、ユーザＥから見たときの虚像５０の視距離を有限値にできる。その結果、有限の距離に見える風景と重畳される虚像５０の視認性を高めることができる。
【００２９】
本実施の形態によれば、凸レンズ１７と凹面鏡１８を組み合わせて投射光学系１６を構成することにより、投射光学系を凹面鏡のみで構成する場合と比べて、曲率半径の大きい凹面鏡１８を採用できる。凹面鏡１８の曲率半径を大きく（つまり、曲率を小さく）することにより、虚像提示面上のより広い範囲内で二重像を解消させることができ、視認性のより高い虚像５０を提示できる。また、投射光学系を凹面鏡のみで構成する場合と比べて、投射光学系１６の非点収差量を小さくでき、より解像度の高い虚像５０を提示できる。
【００３０】
以上、本発明を上述の実施の形態を参照して説明したが、本発明は上述の実施の形態に限定されるものではなく、各表示例に示す構成を適宜組み合わせたものや置換したものについても本発明に含まれるものである。
【００３１】
上述の実施の形態では、表示部１４を合成光学系２０のメリディオナル面内焦点２６ｍに配置することにした。表示部１４は、合成光学系２０のメリディオナル面内焦点２６ｍに厳密に一致させなくてもよく、メリディオナル面内焦点２６ｍの近傍の所定範囲内に位置させてもよい。この場合、表示部１４は、合成光学系２０の合成焦点２６とメリディオナル面内焦点２６ｍの間に位置してよく、サジタル面内焦点２６ｓよりメリディオナル面内焦点２６ｍの近くに位置してもよい。表示部１４は、メリディオナル面内焦点２６ｍよりも凸レンズ１７の近くに位置してもよい。表示部１４の位置をメリディオナル面内焦点２６ｍから離すほど二重像が視認されやすくなるため、例えば、視力１．０の人間から見て二重像の発生が知覚できない程度にメリディオナル面内焦点２６ｍに近い位置に表示部１４を配置することが好ましい。
【００３２】
上述の実施の形態では、表示部１４と凹面鏡１８の間に凸レンズ１７が配置される構成を示した。変形例においては、投射光学系１６に凸レンズ１７が設けられなくてもよい。この場合であっても、凹面鏡１８と虚像提示板２２により構成される合成光学系のメリディオナル面内焦点またはその近傍に表示部１４を配置することで、二重像の発生を抑制できる。
【符号の説明】
【００３３】
１０…虚像表示装置、１４…表示部、１６…投射光学系、１７…凸レンズ、１８…凹面鏡、２０…合成光学系、２２…虚像提示板、２６ｍ…メリディオナル面内焦点、２６ｓ…サジタル面内焦点、５０…虚像、６０…車両。
【図１】
2020016897.tif 000003
【図２】
2020016897.tif 000004
【図３】
2020016897.tif 000005
【図４】
2020016897.tif 000006